(57)【要約】      （修正有）【課題】放射性廃棄物をフレコンに詰めかえる作業システム及び方法を提供する。【解決手段】作業者９０は、庭等の埋設穴９５に埋設されている埋設フレコンバック１４の中に吸い込みノズル６０を差し込む。放射性廃棄物は吸い込みノズル６０によって吸引され、貯蔵タンク３０に送られる。貯蔵タンク３０では、遠心分離の原理によって、固体物は下に落ち開閉ハッチ３２の上に貯まる。エアは、天井の排気部３３から高圧吸引車５０の吸引車タンク本体５１内部に吸引される。貯蔵タンク本体３１内に放射性廃棄物が十分に収容されたら、開閉ハッチ３２を開けて、貯まった放射性廃棄物を開閉ハッチ３２の下にある搬出用フレコンバッグ１５に落として詰め込む。【選択図】図１
2015161677.tif 000002
【特許請求の範囲】
【請求項１】
吸い込みノズルと、貯蔵タンクと、吸い込みポンプと、これらを連結する配管とを有する放射性廃棄物吸引回収システムであって、
前記貯蔵タンクは、所定高さに配置する脚部と、タンク本体の下部に設けられた開閉ハッチとを有し、前記吸い込みポンプの吸引力によって前記吸い込みノズルから吸い込まれた放射性廃棄物を貯留することを特徴とする放射性廃棄物吸引回収システム。
【請求項２】
前記貯蔵タンクと前記吸い込みポンプとの間にフィルタを備え、
前記フィルタは吸い込み口と吐き出し口を有する密閉タンクで、前記密閉タンク内には所定量の水が貯留されていることを特徴とする請求項１に記載の放射性廃棄物吸引回収システム。
【請求項３】
前記吸い込みポンプの吐き出し側にフィルタを備えることを特徴とする請求項２に記載の放射性廃棄物吸引回収システム。
【請求項４】
埋設されているフレキシブルコンテナバッグに詰め込まれている放射性廃棄物に吸い込みノズルを差し込み、前記吸い込みノズルに吸い込みポンプの吸引力を作用させ、前記放射性廃棄物を吸い込み、下部に開閉ハッチを備え所定高さに設置された貯蔵タンクに吸い込ませる吸い込み工程と、
前記貯蔵タンクにおいて、遠心分離の原理によって気体とそれ以外の物質とを分離させ、気体以外の物質を落下させ、気体を上方に設けられた排出口より密閉タンクに排出する分離工程と、
前記気体を水が張られた密閉タンク内に通過させて前記吸い込みポンプの吸い込み口に送る密閉タンク通過工程と、
を備えることを特徴とする放射性廃棄物吸引回収方法。
【発明の詳細な説明】
【技術分野】
【０００１】
本発明は、放射性廃棄物吸引回収システム及び放射性廃棄物吸引回収方法に関する。
【背景技術】
【０００２】
放射性物質に汚染された地域において、宅地除染に伴い発生した不燃放射性廃棄物は、フレキシブルコンテナバッグ（以下、「フレコン」と称する。）に詰められ庭などに埋められることが多い。埋められた廃棄物については、仮置き場や中間貯蔵施設が整備された場合、庭に埋められたフレコンを掘り出し搬出しなければならない。このとき庭に重機が入ることができる宅地は少なくフレコンの掘り出しから廃棄物の搬出までの作業を人海戦術で行うことが予想される。
【０００３】
このような作業に関する技術として、バキューム車に接続されるリフト管を用いて井戸等に堆積した泥砂を吸い上げる技術がある（特許文献１参照）。
【先行技術文献】
【特許文献】
【０００４】
【特許文献１】特開２００１−２０７４７３号公報
【発明の概要】
【発明が解決しようとする課題】
【０００５】
ところで、除染作業において、重機が入らない宅地は表土剥ぎ取りから客土までを人力で作業する。また、フレコンを埋める穴も人力で掘削するのが現状である。これらのことから、重機が入らない宅地においてフレコンを掘り出し搬出する場合も、人力でしか作業することしかできないが、作業内容としては、（１）庭に埋めたフレコンを埋めたまま開封、（２）フレコンの廃棄物を人力で搬出、（３）搬出された廃棄物を新たなフレコンに詰め替えて搬出、となり、手間がかかるため、作業時間が伸びるという問題があった。
【０００６】
また、仮置きされた不燃放射性廃棄物をフレコンに詰め込みかえる作業は、ミニバックホーなどを使用しても作業性が悪く、人手に頼るところが大きく、対策技術が必要とされていた。
【０００７】
本発明は、このような状況に鑑みてなされたものであり、放射性廃棄物をフレコンに詰め込みかえる作業の効率を向上させる技術を提供することにある。
【課題を解決するための手段】
【０００８】
本発明は吸い込みノズルと、貯蔵タンクと、吸い込みポンプと、これらを連結する配管とを有する放射性廃棄物吸引回収システムであって、前記貯蔵タンクは、所定高さに配置する脚部と、タンク本体の下部に設けられた開閉ハッチとを有し、前記吸い込みポンプの吸引力によって前記吸い込みノズルから吸い込まれた放射性廃棄物を貯留する。
また、前記貯蔵タンクと前記吸い込みポンプとの間にフィルタを備え、前記フィルタは吸い込み口と吐き出し口を有する密閉タンクで、前記密閉タンク内には所定量の水が貯留されてもよい。
また、前記吸い込みポンプの吐き出し側にフィルタを備えてもよい。
本発明の放射性廃棄物吸引回収方法は、埋設されているフレキシブルコンテナバッグに詰め込まれている放射性廃棄物に吸い込みノズルを差し込み、前記吸い込みノズルに吸い込みポンプの吸引力を作用させ、前記放射性廃棄物を吸い込み、下部に開閉ハッチを備え所定高さに設置された貯蔵タンクに吸い込ませる吸い込み工程と、前記貯蔵タンクにおいて、遠心分離の原理によって気体とそれ以外の物質とを分離させ、気体以外の物質を落下させ、気体を上方に設けられた排出口より密閉タンクに排出する分離工程と、前記気体を水が張られた密閉タンク内に通過させて前記吸い込みポンプの吸い込み口に送る密閉タンク通過工程と、を備える。
【発明の効果】
【０００９】
本発明によれば、放射性廃棄物をフレコンに詰め込みかえる作業の効率を向上させることができる。
【図面の簡単な説明】
【００１０】
【図１】本発明の実施形態に係る、放射性廃棄物吸引回収システムの概略構成を示す図である。
【図２】本発明の実施形態に係る、貯蔵タンクの内部構造を模式的に示す図である。
【図３】本発明の実施形態に係る、高圧吸引車の概略構成を示す図である。
【発明を実施するための形態】
【００１１】
次に、本発明を実施するための形態（以下、単に「実施形態」という）を、図面を参照して具体的に説明する。
【００１２】
図１は本実施形態に係る放射性廃棄物吸引回収システム１０の概略構成を示す図である。ここで埋設穴９５には、放射性廃棄物等が詰め込まれた埋設フレコンバック１４が埋設されている。放射性物質によって汚染された設備等を除染することで生じた廃棄物等が埋設フレコンバック１４に詰め込まれ、この埋設フレコンバック１４が仮設として設けられている埋設穴９５に埋設されている。放射性廃棄物吸引回収システム１０は、埋設穴９５に埋設されている埋設フレコンバック１４から詰め込まれている放射性廃棄物を取り出し、別の搬出用フレコンバッグ１５に詰め替えるものである。
【００１３】
放射性廃棄物吸引回収システム１０は、高圧吸引車５０と、貯蔵タンク３０と、吸い込みノズル６０とを備える。吸い込みノズル６０は、埋設フレコンバック１４の内部に差し込み放射性廃棄物を吸い込む。吸い込みノズル６０は吸入側配管６１によって貯蔵タンク３０に接続される。また、貯蔵タンク３０と高圧吸引車５０は排気側配管６２によって接続される。高圧吸引車５０を動作させることで、吸い込みノズル６０で吸い込んだ放射性廃棄物は貯蔵タンク３０に取り込まれる。
【００１４】
図２は、貯蔵タンク３０の内部構造を模式的に示している。貯蔵タンク３０は、いわゆるサイクロン方式のレシーバータンクであって、貯蔵タンク本体３１と、開閉ハッチ３２と、排気部３３と、排気管３４と吸入管３５と、反射板３６とを備える。
【００１５】
貯蔵タンク本体３１は、上側が筒状であり、下側が逆円錐状となっている。逆円錐状の下側端部は一部が水平に切り取られた構造で、この部分には開閉ハッチ３２が設けられている。
【００１６】
貯蔵タンク本体３１の天井部分には、排気部３３が設けられている。排気部３３は、筒状の排気導入管３７の上部に設けられている。排気導入管３７は、底面は開口となっており、貯蔵タンク本体３１内部に開放されている。排気導入管３７の天面は閉じられており、側面の天面近傍に排気側配管６２に接続される排気管３４が設けられている。排気管３４は、排気側配管６２を介して高圧吸引車５０に接続される。
【００１７】
吸入管３５は、斜め上方に延びるように貯蔵タンク本体３１の内部に取り込まれるように設けられており、内部側の筒先３８は貯蔵タンク本体３１の内部天井付近に位置している。貯蔵タンク本体３１の外側に位置する筒先３９は吸入側配管６１に接続される。
【００１８】
高圧吸引車５０による吸引によって、吸入管３５から貯蔵タンク本体３１内部に導入された吸引された放射性廃棄物は、遠心分離の原理によって固体（放射性廃棄物）と気体（エア）に分離される。遠心分離された固体は、壁面に衝突しその後重力により落下し、開閉ハッチ３２の上に堆積する。気体は天井の排気部３３から排出される。このため、固体成分の多くが除去された空気が高圧吸引車５０に送り込まれる。なお、貯蔵タンク本体３１に回収することができる量は、使用される搬出用フレコンバッグ１５に応じて適宜設定される。
【００１９】
また、貯蔵タンク３０の貯蔵タンク本体３１は、脚部４０によって所定高さに上げられている。ここで、脚部４０は、貯蔵タンク本体３１の側面に取り付けられる取付部４１と、取付部４１から下方向に延びる脚部本体４２とを備える。その結果、開閉ハッチ３２の下側には、搬出用フレコンバッグ１５を取り付ける空間が形成されている。開閉ハッチ３２までの高さを１７０ｃｍ程度にすることで、貯蔵タンク本体３１の下での作業者９０による作業性が良好に確保できる。
【００２０】
図３は、高圧吸引車５０の概略構成を示す図である。高圧吸引車５０は吸引車タンク本体５１と、外部フィルタ５３と、ポンプ５５とを備える。吸引車タンク本体５１の内部には、水Ｗが張られている。吸引車タンク本体５１の後方部分には、外部の吸い込み口５２からタンク内部において天井近傍まで延びるタンク吸入管５４を備える。吸い込み口５２は、排気管３４から延びる排気側配管６２が接続される。
【００２１】
吸引車タンク本体５１の前方側の上方部分には吐き出し口である排気口５６が設けられている。排気口５６には吸引型のポンプ５５（吸い込みポンプ）が接続されており、ポンプ５５が吸引車タンク本体５１内部のエアを吸引する。ポンプ５５の吸引性能は、例えば、風量４０ｍ３／ｍｉｎであり、真空度を極めて高くすることができる。ポンプ５５が稼働している時は、吸引車タンク本体５１の内部の水Ｗはミスト状になっている比率が高いと想定される。ミスト状になった水Ｗが、吸引車タンク本体５１に吸入されたエアに含まれる粉状体または粒状物質をフィルタリングする。
【００２２】
ポンプ５５の吐出側は、外部フィルタ５３に接続される。ここでは、外部フィルタ５３は、第１の外部フィルタ５３ａ（図中「Ｆ１」と表記する。）及び第２の外部フィルタ５３ｂ（図中「Ｆ２」と表記する。）を直列に接続して備え、最終的に外部に放出される使用後のエアを清浄する。なお、ポンプ５５及び外部フィルタ５３に送るエアをフィルタリングするために、吸引車タンク本体５１の排気口５６の直前にＨＥＰＡフィルタ（High Efficiency Particulate Air Filter）が設けられてもよい。
【００２３】
以上の構成の放射性廃棄物吸引回収システム１０の動作について簡単に説明する。
作業者９０は、庭等の埋設穴９５に埋設されている埋設フレコンバック１４の中に吸い込みノズル６０を差し込む。高圧吸引車５０が稼働していることによって大きな吸引力が発生しているので、埋設フレコンバック１４の詰め込まれている放射性廃棄物は吸い込みノズル６０によって吸引され、吸入側配管６１を通って貯蔵タンク３０に送られる。
【００２４】
貯蔵タンク３０では、貯蔵タンク本体３１に放射性廃棄物及び吸引に伴うエアが導入され、遠心分離の原理によって、埋設フレコンバック１４に詰め込まれていた固体物は下に落ち開閉ハッチ３２の上に貯まる。エアは、天井の排気部３３から掃気され高圧吸引車５０の吸引車タンク本体５１内部に吸引される。
【００２５】
吸引車タンク本体５１の内部は上述の様にポンプ５５の吸引によって真空度が高まり、内部に張られていた水Ｗがミスト状になっている。このミスト状の水Ｗの中をエアが通り、排気口５６からポンプ５５を介して外部フィルタ５３に向けて掃気される。貯蔵タンク３０における固体／気体分離でも十分な固体分離を実現できるが、ミスト状の水Ｗを通過させることで、エア中の放射性廃棄物を安心できるレベルまで除去することができる。
【００２６】
一般に、吸引で詰め替え作業を行うと、対策を施さない場合、吸引エアに放射性の粉状体や粒状物質が混ざって大気に撒き散らされる虞がある。特に、放射性物質を扱う場合、一般的な廃棄物を扱う以上に慎重を期す必要がある。そこで、吸引車タンク本体５１内のミストで、粉状体及び粒状物質を捕まえてフィルタリングする処理を行う。その場合でも、細かい汚染粒状物質が残っている虞がある。そこで、つづいて外部フィルタ５３でフィルタリングする処理を行っている。
【００２７】
貯蔵タンク本体３１内に放射性廃棄物が十分に収容されたら、高圧吸引車５０（ポンプ５５）による吸引を停止し、開閉ハッチ３２を開けて、貯まった放射性廃棄物を開閉ハッチ３２の下にある搬出用フレコンバッグ１５に落として詰め込む。貯蔵タンク本体３１内部の放射性廃棄物が全て搬出用フレコンバッグ１５に詰め込まれたら、作業者９０は開閉ハッチ３２を閉じて、新たな搬出用フレコンバッグ１５に入れ替える。
【００２８】
以上、本実施形態によると、吸引に伴う放射性廃棄物粒子の拡散を心配することなく、放射性廃棄物を貯蔵タンク３０に吸引・貯蔵し、下部の開閉ハッチ３２を開くことで、容易に搬出用フレコンバッグ１５内に詰め込むことが可能になる。
【００２９】
より具体的には、次の効果を実現できる。
（１）作業時間を大幅に短縮することができる。
埋設フレコンバック１４の廃棄物を人力で搬出し、新たなフレコンバッグ（搬出用フレコンバッグ１５）に詰め替えるという手間を省略できるので、作業時間を大幅に短縮することができる。
（２）新たなフレコンバッグ（搬出用フレコンバッグ１５）への詰め込み作業が搬出と同時に可能である。
高圧吸引車５０で吸引・搬出した放射性廃棄物は貯蔵タンク３０を介して新たな搬出用フレコンバッグ１５に搬出が可能であるので、搬出用フレコンバッグ１５への詰め込み作業を省略することができる。一方、人力作業の場合は、搬出用フレコンバッグ１５への詰め込み用の重機及び作業員が必要となり作業場所も限定される。
（３）詰め替え作業における汚染粉状体及び粒状物質の拡散を防止することができる。
人力で詰め替え作業を行うと、汚染された粉状体及び粒状物質を撒き散らす虞があるが、本実施形態の放射性廃棄物吸引回収システム１０では、廃棄物の移動を吸引エアで行っており、また、廃棄物を貯留タンク３０に移動させた後のエアも、吸引車タンク本体５１、外部フィルタ５３で二重のフィルタリングを行っているので、詰め替え作業における汚染粉状体及び粒状物質の拡散を防止できる。
【００３０】
以上、実施形態をもとに本発明を説明した。この実施形態は例示であり、それらの各構成要素の組み合わせ等にいろいろな変形例が可能なこと、またそうした変形例も本発明の範囲にあることは当業者に理解されるところである。
【符号の説明】
【００３１】
１０  放射性廃棄物吸引回収システム
１４  埋設フレコンバック
１５  搬出用フレコンバッグ
３０  貯蔵タンク
３１  貯蔵タンク本体
３２  開閉ハッチ
３３  排気部
３４  排気管
３５  吸入管
３６  反射板
３７  排気導入管
３８、３９  筒先
４０  脚部
４１  取付部
４２  脚部本体
５０  高圧吸引車
５１  吸引車タンク本体
５２  吸い込み口
５３  外部フィルタ
５３ａ  第１の外部フィルタ
５３ｂ  第２の外部フィルタ
５４  タンク吸入管
５５  ポンプ
５６  排気口
６０  吸い込みノズル
６１  吸入側配管
６２  排気側配管
９０  作業者
９５  埋設穴
Ｗ  水
【図１】
2015161677.tif 000003
【図２】
2015161677.tif 000004
【図３】
2015161677.tif 000005